(57)【要約】      （修正有）【課題】絶縁ハウジングがその射出成形法を受けた後で変形することなく、これにより、望ましい生産率を示すミニプラグコネクタを提供する。【解決手段】ミニプラグコネクタは、絶縁性ハウジング１０、複数の端子２１，２２および金属殻３０を備える。絶縁性ハウジング１０は、ベース部１１、凸部１２および複数の取付け穴１３を有する。凸部１２は、ベース部１１から突出しており、上面１２１と、空所１２１３と、少なくとも１つの細長い上面凹所１２１１とを有する。前記空所および少なくとも１つの細長い上面凹所は、凸部１２の上面１２１に形成されている。前記端子は、取付け穴１３にそれぞれ取り付けられている。金属殻３０は、絶縁性ハウジング１０を覆う。絶縁性ハウジング１０が射出成形法で製造されるとき、前記少なくとも１つの細長い上面凹所は、絶縁性ハウジング１０が不良品となり変形することを防止する。【選択図】図１
0003146629.tif 000002
【実用新案登録請求の範囲】
【請求項１】
絶縁ハウジングと、複数の第１の端子および複数の第２の端子と、前記絶縁ハウジングおよび前記第１および第２の端子を覆う金属殻とを含むミニプラグコネクタであって、
前記絶縁ハウジングは、
上面、下面、両側面、前面および後面を有するベース部と、
前記ベース部に形成され、該ベース部の前記前面から突出する凸部と、
前記絶縁ハウジングに形成される複数の取付け穴とを備え、
前記凸部は、上面、下面、前端、後端および両側面を有し、さらに、該凸部の前記上面および前記前端に形成された空所であって内底面および２つの対向する内側面を有する空所と、該空所の後で前記凸部の前記上面を横切って形成された少なくとも１つの細長い上面凹所とを有し、前記取付け穴は、前記ベース部の前記後面から前記凸部の前記前端へ前記絶縁ハウジングを貫通して縦方向へ形成され、また前記空所および前記少なくとも１つの細長い上面凹所に通じ、
前記第１および第２の端子は、前記取付け穴にそれぞれ取り付けられてその一部が前記空所に延在し、
前記金属殻は、上板部、底板部および２つの互いに対向する側板部を備え、さらに、前記金属殻により形成される空洞と、スタンピング工程で前記上板部に形成され、前記空洞に伸びる複数の押圧部であってそのうちの２つの押圧部が前記凸部の前記空所の前記内側面に近接して該内側面のそれぞれに当接する押圧部とを備える、ミニプラグコネクタ。
【請求項２】
前記絶縁ハウジングの前記凸部は、さらに該凸部の前記下面を横切って形成された少なくとも１つの細長い下面凹所を備える、請求項１に記載のミニプラグコネクタ。
【請求項３】
前記第１および第２の端子のそれぞれは、
前記ベース部に取り付けられる取付け部と、
弾性を有し、前記取付け部に形成され該取付け部から突出し、前記凸部に取り付けられまた前記凹所に位置するアーム部と、
前記アーム部に形成され該アーム部から突出し前記空所に伸びる接触部と、
前記取付け部に該取付け部から前記アーム部と反対側に突出する挿入部とを備え、前記各第１の端子の前記挿入部は前記絶縁ハウジングに関して第１の位置に在り、また前記各第２の端子の前記挿入部は前記絶縁ハウジングに関して前記第１の位置と異なる第２の位置に在る、請求項２に記載のミニプラグコネクタ。
【請求項４】
前記金属殻の前記各押圧部は平坦な下面を有し、前記押圧部の平坦な前記下面は前記絶縁ハウジングに関して同一レベルに在る、請求項３に記載のミニプラグコネクタ。
【請求項５】
前記ベース部は、さらに複数の取付けフックを有し、該取付けフックの少なくとも１つは前記ベース部の前記上面に形成され、前記取付けフックの残りは前記ベース部の前記下面に形成され、
前記金属殻は、さらに複数のロック穴を有し、該ロック穴の少なくとも１つは前記上板部を貫通して形成され、前記ロック穴の残りは前記底板部を貫通して形成され、前記ロック穴は、前記絶縁ハウジングの前記取付けフックのそれぞれを取り巻いて配置され、該フックに係止される、請求項４に記載のミニプラグコネクタ。
【請求項６】
前記ベース部は、さらに、該ベース部の前記両側に形成され該両側からそれぞれ突出する取付け突起を有し、
前記金属殻は、さらに、前記両側板に形成され該側板からそれぞれ後方へ突出する２つの締結タブを有し、該各締結タブは該締結タブを貫通して形成された締結穴を有し、該締結穴が前記前記絶縁ハウジングの１つの前記取付け突起を取り巻いて配置される、請求項５に記載のミニプラグコネクタ。
【請求項７】
前記少なくとも１つの細長い下面凹所は、前記少なくとも１つの細長い上面凹所にそれぞれ位置を合わせて配置されている、請求項６に記載のミニプラグコネクタ。
【請求項８】
前記少なくとも１つの細長い下面凹所は前記細長い上面凹所からずれている、請求項６に記載のミニプラグコネクタ。
【考案の詳細な説明】
【技術分野】
【０００１】
本考案は、コネクタに関し、より詳細には、その絶縁ハウジングが射出成形法を受けた後に変形を生じず、これにより望ましい生産率を示すミニプラグコネクタに関する。
【背景技術】
【０００２】
デジタルカメラや携帯電話のような電子機器のコネクタの寸法縮小は、それらの電子機器がますますコンパクトに設計されるときの最近の必然的な傾向である。
【０００３】
従来のハイデフィニションマルチメディアインタフェース（HDMI）仕様のコネクタは、さらに、その製造コストを下げ、寸法を小さくし、また製造品質の向上を図るべく、ミニHDMIコネクタに発展している。
【０００４】
しかしながら、従来のミニHDMIコネクタの絶縁ハウジングが射出成形法で製造されるとき、熱可塑性／熱硬化性材料を受けるモールドは、注入材料で完全に満たすには小さ過ぎ、不良絶縁ハウジングが形成されてしまう。また、前記絶縁ハウジングは、射出成形法を受けるとき、不注意で変形を生じることがある。そのため、従来のミニHDMIコネクタは、不満な生産率を示す。
【考案の開示】
【考案が解決しようとする課題】
【０００５】
前記欠点を克服すべく、本考案は、前記した問題点を緩和もしくは除去し得るミニプラグコネクタを提供する。
【０００６】
本考案の主たる目的は、絶縁ハウジングがその射出成形法を受けた後で変形することなく、これにより、望ましい生産率を示すミニプラグコネクタを提供することにある。
【課題を解決するための手段】
【０００７】
本考案に係るミニプラグコネクタは、絶縁ハウジング、複数の端子および金属殻を備える。前記絶縁ハウジングは、ベース部、凸部および複数の取付け穴を有する。前記凸部は、前記ベース部から突出し、上面、空所および少なくとも一つの細長い上面凹所を有する。前記空所および前記少なくとも一つの細長い上面凹所は、前記凸部の前記上面に形成されている。前記端子は前記取付け穴にそれぞれ取り付けられている。前記金属殻は、前記絶縁ハウジングを覆う。
【０００８】
本考案の他の目的、利点および新規な特徴は、添付の図面を参照しての以下の記載から、より明らかになろう。
【考案を実施するための最良の形態】
【０００９】
図１および図２を参照するに、本考案に係るミニプラグコネクタは、Mini-HDMI仕様のソケットコネクタに結合されるミニのハイデフィニションマルチメディアインタフェース（Mini-HDMI）のプラグコネクタであり、絶縁ハウジング（１０）と、複数の第１の端子（２１）と、複数の第２の端子（２２）と、金属殻（３０）とを備える。
【００１０】
絶縁ハウジング（１０）は、射出成形法により作られており、ベース部（１１）、凸部（１２）および複数の取り付穴（１３）を有する。
【００１１】
ベース部（１１）は矩形であり、該ベース部は、上面（１１１）、下面（１１２）、両側面（１１３、１１４）、前面（１１５）および後面（１１６）を有し、さらに複数の取付けフック（１１７）および２つの取付け突起（１１８）を有することができる。
【００１２】
取付けフック（１１７）の少なくとも１つは、上面（１１１）に形成され、取付けフック（１１７）の残部は、下面（１１２）に形成されている。
【００１３】
取付け突起（１１８）は、両側面（１１３、１１４）のそれぞれに形成され、該側面から突出する。
【００１４】
凸部（１２）は、ベース部（１１）の前面（１１５）に形成され、上面（１２１）、下面（１２２）、前端、後端、両側面（１２３、１２４）、空所（１２１３）および少なくとも１つの細長い上面凹所（１２１１、１２１２）を有する。凸部（１２）は、さらに、少なくとも１つの細長い下面凹所（１２２１、１２２２）と、仕切り（１２１４）とを有することができる。
【００１５】
空所（１２１３）は、上面（１２１）と、凸部（１２）の前記前端とに形成されており、空所（１２１３）は、内方底面と、２つの対向する内側面（１２１５、１２１６）とを有する。
【００１６】
少なくとも１つの細長い上面凹所（１２１１、１２１２）は、空所（１２１３）の後ろで凸部（１２）の上面（１２１）を横切って形成されている。少なくとも１つの細長い下面凹所（１２２１、１２２２）は、凸部（１２）の下面（１２２）を横切って形成されており、それぞれ少なくとも１つの細長い上面凹所（１２１１、１２１２）に位置を合わせて配置することができ、その結果、細長い凹所（１２１１、１２１２、１２２１、１２２２、）は、凸部（１２）の少なくとも１つの同一垂直横断面上に位置する。これに代えて、少なくとも１つの細長い下面凹所（１２２１、１２２２）を少なくとも１つの細長い上面凹所（１２１１、１２１２）に整列させずに相互にずらせて配置することができ、その結果、上面および下面の細長い凹所（１２１１、１２１２、１２２１、１２２２）を異なる垂直横断面上に位置させることができる。上面および下面の細長い凹所（１２１１、１２１２、１２２１、１２２２）は、前記絶縁ハウジング（１０）の材料を節約し、製造コストを下げるために作られている。さらに、上面および下面の細長い凹所（１２１１、１２１２、１２２１、１２２２）は、絶縁ハウジング（１０）が射出成形法によって形成されるとき、該絶縁ハウジングが不良品になったり、断片化したり、変形することを防止する。
【００１７】
仕切り（１２１４）は、空所（１２１３）と、細長い上面凹所（１２１２）との間に形成されている。
【００１８】
取り付穴（１３）は、ベース部（１１）の後面（１１６）から凸部（１２）の前記前端へ、絶縁ハウジング（１０）を貫通して縦方向へ形成されており、空所（１２１３）および少なくとも１つの細長い上面凹所（１２１１、１２１２）に通じる。取り付穴（１３）は、さらに、少なくとも１つの細長い下面凹所（１２２１、１２２２）に通じることができる。
【００１９】
さらに図３を参照するに、第１の端子（２１）および第２の端子（２２）が、取り付穴（１３）にそれぞれ取り付けられており、それらの一部分が空所（１２１３）に延在する。
【００２０】
各第１の端子（２１）は、取付け部（２１３）、アーム部（２１２）、接触部（２１１）および挿入部（２１４）を有し、さらに少なくとも1つの干渉部（２１５）を有することができる。取付け部（２１３）は、ベース部（１１）に取り付けられる。アーム部（２１２）は、弾性を有し、取付け部（２１３）に形成される。また、アーム部（２１２）は、取付け部（２１３）から突出し、凸部（１２）に取り付けられ、空所（１２１３）に位置する。接触部（２１１）は、アーム部（２１２）に形成されており、該アーム部分から突出し、空所（１２１３）内に延在する。挿入部（２１４）は、取付け部（２１３）に形成されており、該取付け部からアーム部（２１２）と反対側へ突出する。挿入部（２１４）は、印刷回路基板のはんだ付けホールに挿入することができ、絶縁ハウジング（１０）に関して第１の位置に配置される。
【００２１】
各第２の端子（２２）は、取付け部（２２３）、アーム部（２２２）、接触部（２２１）および挿入部（２２４）を有し、さらに少なくとも1つの干渉部（２２５）を有することができる。取付け部（２２３）は、ベース部（１１）に取り付けられる。アーム部（２２２）は、弾性を有し、取付け部（２２３）に形成される。また、アーム部（２２２）は、取付け部（２２３）から突出し、凸部（１２）に取り付けられ、空所（１２１３）に位置する。接触部（２２１）は、アーム部（２２２）に形成されており、該アーム部分から突出し、空所（１２１３）内に延在する。挿入部（２２４）は、取付け部（２２３）に形成されており、該取付け部からアーム部（２２２）と反対側へ突出する。挿入部（２２４）は、印刷回路基板のはんだ付けホールに挿入することができ、絶縁ハウジング（１０）に関して第１の位置とは異なる第２の位置に配置される。
【００２２】
さらに図４および５を参照するに、金属殻（３０）は中空であり、絶縁ハウジング（１０）、第１の端子（２１）および第２の端子（２２）を覆う。金属殻（３０）は、上板部（３１）、底板部（３２）、２つの互いに対向する側板部（３３、３４）、空洞（３５）および複数の押圧部（３１１）を有し、さらに、複数のロック穴（３１３）および２つの締結タブ（３６）を有することができる。
【００２３】
空洞（３５）は、金属殻（３０）内に形成されており、凸部（１２）を取り巻く。
【００２４】
押圧部（３１１）は、スタンピング工程で、上板部（３１）に形成されており、空洞（３５）内に達し、該空所に取り付けられる前記ミニ−HDMIソケットコネクタを押し付けて強固に保持する。さらに、押圧部（３１１）のうちの２つは、凸部（１２）の不注意による変形を防止すべく、該凸部の空所（１２１３）の内側面（１２１５、１２１６）にそれぞれ隣接してこれに当接する。押圧部（３１１）は平坦な下面（３１２）を有する。押圧部（３１１）の平坦な下面（３１２）は、前記ミニ−HDMIソケットコネクタの凸部に均等な押圧力を付与すべく前記絶縁ハウジング（１０）に関して同じレベルに在る。
【００２５】
ロック穴（３１３）の少なくとも１つは、上板部（３１）に該上板部を貫通して形成されており、残りのロック穴（３１３）は、底板部（３２）に該底板部を貫通して形成されている。ロック穴（３１３）は、絶縁ハウジング（１０）の取付けフック（１１７）のそれぞれを取り巻いて配置され、該取付けフックに係止される。締結タブ（３６）は、側板部（３３、３４）に形成され、該側板部からそれぞれ後方に突出する。各締結タブ（３６）は該締結タブを貫通して形成された締結穴（３６１）を有し、該締結穴が絶縁ハウジング（１０）の取付け突起（１１８）の一つを取り巻いて配置される。
【００２６】
上面および下面の細長い凹所（１２１１、１２１２、１２２１、１２２２）を有する絶縁ハウジング（１０）は、射出成形法で作られるとき、不良品になったり変形したりしないであろう。したがって、絶縁ハウジングを有するミニプラグコネクタは、従来のコネクタと比較したとき、高い生産性および安価な製造コストを有する。さらに、凸部（１２）の空所（１２１３）の内側面（１２１５、１２１６）のそれぞれに当接する押圧部（３１１）を備える金属殻（３０）は、凸部（１２）が不注意で変形することを効果的に防止する。
【図面の簡単な説明】
【００２７】
【図１】本考案に係るミニプラグコネクタの分解斜視図であり、
【図２】図１の前記ミニプラグコネクタの絶縁ハウジングであってさらに両側面に２つの突起を有する絶縁ハウジングの下面からの斜視図であり、
【図３】図１の前記ミニプラグコネクタの第１および第２の端子の下面からの斜視図であり、
【図４】図１の前記ミニプラグコネクタの前記金属殻であってさらに２つの対向する固定穴を有する金属殻の下面からの斜視図であり、
【図５】図１の前記ミニプラグコネクタの前方からの斜視図である。
【符号の説明】
【００２８】
１０  絶縁ハウジング
１１  ベース部
１１１  上面
１１３、１１４  両側面
１１５  前面
１１７  取付けフック
１２  凸部
１２１  上面
１２１１、１２１２  上面凹所
１２１３  空所
１２１４  仕切り
１２１５、１２１６  内側面
１２３、１２４  両側面
１３  取り付穴
２１  第１の端子
２２  第２の端子
３０  金属殻
３１  上板部
３１１  押圧部
３１３  ロック穴
３３、３４  側板部
３５  空洞
３６  締付けタブ
【図１】
0003146629.tif 000003
【図２】
0003146629.tif 000004
【図３】
0003146629.tif 000005
【図４】
0003146629.tif 000006
【図５】
0003146629.tif 000007